(57)【要約】【課題】  本発明は、上下に複数の衣服ハンガーを吊り下げることができるハンガー吊り具であって、簡易な構造で且つ耐久性に優れ、より多くの衣服ハンガーを収納スペースに収納できるハンガー吊り具を提供する。【解決手段】  本発明のハンガー吊り具１は、衣服ハンガー７のハンガーフック部９を掛止可能な掛け部４が所定間隔を開けて上下に複数形成された吊り具本体２と、前記吊り具本体２の上方に設けられ且つ吊り具本体２を被掛止部材Ｂに掛止するための吊り具フック部３と、を有し、前記吊り具本体２が、金属線材から形成され、前記複数の掛け部４に衣服ハンガー７をそれぞれ掛けたときに上方の衣服ハンガー７のハンガー本体８が下方の衣服ハンガー７のハンガー本体８と接触しないように、前記複数の掛け部４が上下に間隔を開けて形成されている。【選択図】  図４
2012085947.tif 000002
【特許請求の範囲】
【請求項１】
衣服ハンガーのハンガーフック部を掛止可能な掛け部が所定間隔を開けて上下に複数形成された吊り具本体と、前記吊り具本体の上方に設けられ且つ吊り具本体を被掛止部材に掛止するための吊り具フック部と、を有し、
前記吊り具本体が、金属線材から形成され、
前記複数の掛け部に衣服ハンガーをそれぞれ掛けたときに上方の衣服ハンガーのハンガー本体が下方の衣服ハンガーのハンガー本体と接触しないように、前記複数の掛け部が上下に間隔を開けて形成されていることを特徴とするハンガー吊り具。
【発明の詳細な説明】
【技術分野】
【０００１】
本発明は、衣服ハンガーを上下に複数掛けて収納スペースを有効に利用できるハンガー吊り具に関する。
【背景技術】
【０００２】
従来、衣服類などを収納するための収納家具として、洋服ダンスやクローゼットなどが用いられている。このような収納家具は、木材で構成された伝統的な家具の他、近年ではパイプ材及びシート等を適宜組み立てた簡易組み立て型の家具まで様々なものが知られている。
このような衣服の収納家具には、金属製パイプ材などで形成された主桿が水平且つ幅方向に架設されている。この主桿に、衣服の掛けられた衣服ハンガーのハンガーフック部を掛止することにより、収納家具に衣服を収納することができる。
【０００３】
しかしながら、主桿に衣服ハンガーを直接掛止すると、衣服ハンガーの掛け数が制限されるという問題点がある。すなわち、主桿に衣服ハンガーを掛止していくと、収納家具の幅方向に衣服ハンガーが揃って並んだ状態となる。幅方向に隣接する衣服ハンガーを詰めていっても、収納家具の幅は個々に決まっているので、自ずと衣服ハンガーの掛け数も制限される。
【０００４】
特許文献１には、ハンガーを吊り下げることのできる掛け部を複数有する本体と、この本体を物干し竿へ掛けるためのフックと、を備え、前記フックが、本体の中央部と端部とのいずれか一方のみに対して選択的に配置可能な単一のフックとされているハンガー吊り具が開示されている。
この特許文献１のハンガー吊り具は、複数の掛け部にそれぞれ衣服ハンガーを掛け、且つフックを本体の端部に配置して本体を鉛直方向に吊すことにより、複数の衣服ハンガーを上下に吊り下げることができ、スペースの有効利用を図ることができる。
【０００５】
しかしながら、特許文献１のハンガー吊り具は、構造が複雑であり、使用しているうちに掛け部が破損し易いという問題点がある。
また、特許文献１のハンガー吊り具は、本体を鉛直方向に吊して複数の衣服ハンガーを上下に吊り下げたときに、上方の衣服ハンガーのハンガー本体の架橋桿（架橋桿とは、衣服の肩部が掛けられる左右一対の傾斜アーム部の外端部間に架橋された桿部を意味する）が下方の衣服ハンガーのハンガー本体の上部に接触する（特許文献１の図３（ｃ）など）。このように上方の衣服ハンガーが下方の衣服ハンガーに接触すると、上下に吊り下げた複数の衣服ハンガーが階段状に重なるので、１つのハンガー吊り具に吊り下げられた複数の衣服ハンガーの幅方向の厚みが増し、スペースの有効利用を十分に図ることができない。
【先行技術文献】
【特許文献】
【０００６】
【特許文献１】特開２００２−２１９２９８号公報
【発明の開示】
【発明が解決しようとする課題】
【０００７】
本発明は、上下に複数の衣服ハンガーを吊り下げることができるハンガー吊り具であって、耐久性に優れ、より多くの衣服ハンガーを収納スペースに収納できるハンガー吊り具を提供することを課題とする。
【課題を解決するための手段】
【０００８】
本発明のハンガー吊り具は、衣服ハンガーのハンガーフック部を掛止可能な掛け部が所定間隔を開けて上下に複数形成された吊り具本体と、前記吊り具本体の上方に設けられ且つ吊り具本体を被掛止部材に掛止するための吊り具フック部と、を有し、前記吊り具本体が、金属線材から形成され、前記複数の掛け部に衣服ハンガーをそれぞれ掛けたときに上方の衣服ハンガーのハンガー本体が下方の衣服ハンガーのハンガー本体と接触しないように、前記複数の掛け部が上下に間隔を開けて形成されている。
【発明の効果】
【０００９】
本発明のハンガー吊り具は、吊り具本体が金属線材から形成されているので、耐久性に優れている。
また、本発明のハンガー吊り具は、上方の衣服ハンガーのハンガー本体が下方の衣服ハンガーのハンガー本体と接触しないように、複数の掛け部が上下に間隔を開けて形成されているので、このハンガー吊り具を使用すれば、衣服ハンガー集合体の幅方向の厚みを小さくでき、より多くの衣服ハンガーを収納スペースに収納できる。
【図面の簡単な説明】
【００１０】
【図１】本発明の１つの実施形態に係るハンガー吊り具の正面図。
【図２】同右側面図。
【図３】本発明のハンガー吊り具に吊り下げられる、１つの実施形態に係る衣服ハンガーの正面図。
【図４】本発明のハンガー吊り具の各掛け部に、衣服ハンガーを吊り下げた状態を示す右側面図。
【図５】同正面図。
【図６】本発明の他の実施形態に係るハンガー吊り具の正面図。
【発明を実施するための形態】
【００１１】
以下、添付図面を参照しつつ、本発明の１つの実施形態に係るハンガー吊り具について説明する。
図１及び図２において、１は、衣服ハンガーのハンガーフック部を掛止可能な掛け部４が所定間隔を開けて上下に複数形成された吊り具本体２と、前記吊り具本体２の上方に設けられ且つ吊り具本体２を被掛止部材に掛止するための吊り具フック部３と、を有するハンガー吊り具を示す。
このハンガー吊り具１のうち、少なくとも吊り具本体２は、金属線材を折り曲げ加工することによって形成されている。
【００１２】
図３は、本発明のハンガー吊り具１に吊り下げられる衣服ハンガー７の一例を示す。
この衣服ハンガー７は、衣服の肩部が掛けられる左右一対のアーム部８１，８１を有するハンガー本体８と、ハンガー本体８の中央上部に設けられたハンガーフック部９と、を有する。
左右一対のアーム部８１，８１は、それぞれ外側に向かうに従って下方に傾斜した傾斜アーム部とされており、この一対のアーム部８１，８１の内端部は一体的に連結されている。
この一対のアーム部８１，８１の連結された部分が、ハンガー本体８の中央上部であり、このハンガー本体８の中央上部は、上方に少し突設されている。
このハンガー本体８においては、一対のアーム部８１，８１の外端部の間を架橋する棒状の架橋桿は設けられていない。
【００１３】
ハンガーフック部９は、上下方向に延びるハンガー軸部９１と、ハンガー軸部９１の上方にその軸部９１と一体的に形成された一部切欠き円弧状の係止部９２と、を有する。
このハンガー軸部９１は、その軸部９１の軸芯周りに回転可能となるように、ハンガー本体８の中央上部に軸支されている。なお、ハンガーフック部９の回転方向は、衣服ハンガー７を上から見て、時計回り方向及び半時計回り方向である。
【００１４】
次に、ハンガー吊り具１について、具体的には、吊り具本体２及び吊り具フック部３は、それぞれ１本の金属線材を図示したような形状に折り曲げ加工することにより形成されている。
なお、ハンガー吊り具１の形成は、金属線材の折り曲げ加工だけに限られず、例えば、金属板を打ち抜き加工することにより形成されていてもよい。このような金属板の打ち抜き加工でも、図示したような、金属線材からなるハンガー吊り具１を形成できる。
【００１５】
吊り具本体２及び吊り具フック部３を形成する金属線材は、特に限定されず、一般的には、鉄、ステンレス、アルミニウムなどが挙げられる。金属線材の断面形状は特に限定あれず、断面円形状、断面矩形状、断面三角形状などの任意である。
金属線材の太さも特に限定されないが、余りに細いと衣服ハンガー７を吊したときに変形する虞がある。それ故、金属線材の太さは、（断面円形状の金属線材の場合で）直径１ｍｍ以上が好ましく、直径２ｍｍ以上がより好ましい。また、余りに金属線材が太いと、重量が増して取扱い性が悪くなるので、直径７ｍｍ以下が好ましく、直径６ｍｍ以下がより好ましい。
具体的な実施例では、直径３ｍｍ〜３．５ｍｍのステンレス製の断面円形状の金属線材が用いられる。
【００１６】
吊り具本体２には、複数の掛け部４が形成されている。掛け部４の形成数は、２以上であれば特に限定されない。図１に示すハンガー吊り具１においては、４つの掛け部４が形成されている。また、他の実施形態である図６に示すハンガー吊り具１においては、６つの掛け部４が形成されている。
１つの掛け部４は、フック状の形態を成し且つ衣服ハンガー７のハンガーフック部９を支持する支持部４１と、支持部４１に連通し且つハンガーフック部９の差入れ口となる開口部４２と、を有する。
【００１７】
複数の掛け部４は、各支持部４１が上下方向（鉛直方向）の仮想直線Ｌの上に並ぶように、上下に所定間隔Ａを開けて形成されている。
また、前記複数の掛け部４は、複数の掛け部４に上記衣服ハンガー７をそれぞれ掛けたときに上方の衣服ハンガー７のハンガー本体８が下方の衣服ハンガー７のハンガー本体８と接触しないように（図４参照）、上下に間隔Ａを開けて形成されている。
具体的な実施例では、前記間隔Ａは、５０ｍｍ〜１５０ｍｍであり、好ましくは６０ｍｍ〜１００ｍｍである。
【００１８】
吊り具フック部３は、上下方向に延びる軸部３１と、軸部３１の上方に軸部３１と一体的に形成された一部切欠き円弧状の係止部３２と、を有する。
吊り具フック部３の軸部３１は、連結部５を介して、吊り具本体２の上端部に連結されている。
この連結部５は、吊り具フック部３を吊り具本体２に対して回転可能に軸支する部材から構成されている。
すなわち、吊り具フック部３は、その軸部３１の軸芯周りに回転可能となるように（回転を、図１の矢印で示す）を、連結部５を介して吊り具本体２に連結されている。なお、吊り具フック部３の回転方向は、ハンガー吊り具１を上から見て、時計回り方向及び半時計回り方向である。
【００１９】
なお、連結部５は、吊り具フック部３が吊り具本体２に対して動かないように、吊り具本体２と吊り具フック部３を固定的に連結するものでもよい。
また、本発明のハンガー吊り具１は、上記連結部５を介在させず、吊り具フック部３の軸部３１と吊り具本体２の上端部が直接連結されていてもよい。吊り具フック部３の軸部３１と吊り具本体２の上端部が直接連結されているハンガー吊り具１においては、吊り具本体２と吊り具フック部３が１本の金属線材を折り曲げ加工することにより一体的に形成されていてもよいし、或いは、吊り具本体２と吊り具フック部３が別々に形成され且つ両者が溶接又は接着剤によって接着されて構成されていてもよい。
図６は、吊り具本体２と吊り具フック部３が１本の金属線材を折り曲げ加工することにより一体的に形成されたハンガー吊り具１を示す。
【００２０】
本発明のハンガー吊り具１は、図４及び図５に示すように、衣服Ｃを掛けた衣服ハンガー７を各掛け部４にそれぞれ吊り下げた状態で使用される。
具体的には、収納家具の主桿などの被掛止部材Ｂに、ハンガー吊り具１の吊り具フック部３を引っ掛けると共に、衣服Ｃを掛けた衣服ハンガー７を、吊り具本体２の各掛け部４に吊り下げていく。図４及び図５において、衣服Ｃを二点差線で表している。
本発明のハンガー吊り具１は、複数の掛け部４の上下方向の間隔Ａが上方の衣服ハンガー７のハンガー本体８が下方の衣服ハンガー７のハンガー本体８と接触しないように設定されているので、図４に示すように、各掛け部４に吊り下げた上下のハンガー本体８が重なり合わない。
【００２１】
このため、図５に示すように、上記ハンガー吊り具１の各掛け部４にそれぞれ衣服ハンガー７を掛けたもの（以下、衣服ハンガー集合体１０という）の幅方向の厚みを極力小さくすることができる。特に、衣服ハンガー７に掛ける衣服Ｃが、カッターシャツやブラウスのような薄手の生地からなる衣服である場合には、衣服ハンガー集合体１０の幅方向の厚みがより小さくなる。
よって、本発明のハンガー吊り具１を使用すれば、収納家具の主桿などの被掛止部材Ｂの幅方向に、より多くの衣服ハンガー７集合体を並べて掛けることができ、収納家具内の限られた収納スペースに多くの衣服ハンガー７を吊下げ収納することができる。
【００２２】
さらに、本発明のハンガー吊り具１は、少なくともハンガー本体８が金属線材からなるので、耐久性に優れている。また、本発明のハンガー吊り具１は、金属線材の折り曲げ加工品からなるので、簡易な構造で、複雑な構造部分を有しないので、取り扱いやすく、さらに、その成形も容易であるので、安価に製造できる。
【符号の説明】
【００２３】
１…ハンガー吊り具、２…吊り具本体、３…吊り具フック部、４…掛け部、７…衣服ハンガー、８…ハンガー本体、９…ハンガーフック部、１０…衣服ハンガー集合体、Ａ…掛け部の上下の間隔、Ｂ…被掛止部材、Ｃ…衣服
【図１】
2012085947.tif 000003
【図２】
2012085947.tif 000004
【図３】
2012085947.tif 000005
【図４】
2012085947.tif 000006
【図５】
2012085947.tif 000007
【図６】
2012085947.tif 000008